(57)【要約】【課題】制御基板をケース体に効果的に免震保持できる布団ブラシおよび電気掃除機を提供する。【解決手段】布団ブラシは、ケース体41と、吸込口と、ビータ45と、叩打駆動手段63と、制御基板73と、支持部82と、弾性部材81とを有する。吸込口は、ケース体41の下部に設けられ、塵埃を吸い込む。ビータ45は、ケース体41の下部に設けられ、布団に振動を付与する。叩打駆動手段63は、ビータ45を駆動する。制御基板73は、叩打駆動手段63の動作を制御する制御回路Ｃを備える。支持部82は、制御基板73を互いに上下に対向しない位置で上下に支持する。弾性部材81は、支持部82と制御基板73との間に介在される。【選択図】図１
2017023166.tif 000002
【特許請求の範囲】
【請求項１】
ケース体と、
このケース体の下部に位置し、塵埃を吸い込む吸込口と、
前記ケース体の下部に設けられ、被掃除部に振動を付与する振動部材と、
この振動部材を駆動する振動駆動手段と、
この振動駆動手段の動作を制御する制御回路を備えた制御基板と、
この制御基板を互いに上下に対向しない位置で上下に支持する支持部と、
この支持部と前記制御基板との間に介在された弾性部材と
を具備したことを特徴とした吸込口体。
【請求項２】
支持部は、
互いに離間されて複数配置され、弾性部材を介して制御基板の下部を支持する下部支持部と、
これら下部支持部の間の位置で、前記弾性部材を介して前記制御基板の上部を押さえる上部支持部とを備えている
ことを特徴とした請求項１記載の吸込口体。
【請求項３】
制御基板は、略四角形状に形成され、
下部支持部は、弾性部材を介して前記制御基板の四隅の下部を支持する
ことを特徴とした請求項２記載の吸込口体。
【請求項４】
弾性部材は、制御基板の各主面に沿って面状に形成され、
支持部は、点状または線状に前記弾性部材に接触して前記制御基板を支持する
ことを特徴とした請求項１ないし３いずれか一記載の吸込口体。
【請求項５】
電動送風機と、
前記電動送風機の駆動により塵埃を吸込口から吸い込む請求項１ないし４いずれか一記載の吸込口体と
を具備したことを特徴とした電気掃除機。
【発明の詳細な説明】
【技術分野】
【０００１】
本発明の実施形態は、被掃除部に振動を付与する振動部材を有する吸込口体およびこれを備えた電気掃除機に関する。
【背景技術】
【０００２】
従来、電動送風機の駆動により吸込口体としての布団ブラシの先端側から塵埃を吸い込んで捕集する電気掃除機において、布団に入り込んだダニの死骸や糞、あるいは花粉などの微細な塵埃を掃除する、布団掃除用のものがある。このような布団掃除用の布団ブラシには、布団に対して例えばモータなどによって上下に駆動させることで振動を与えて塵埃を叩き出す振動部材であるビータが設けられることがある。このようにビータによる振動を付与する場合、このビータの振動やその反力によってケース体自体も振動する。そのため、モータなどを制御する制御基板をケース体に対して支持する際に、制御基板を免震保持できることが望ましい。
【先行技術文献】
【特許文献】
【０００３】
【特許文献１】特開２０１０−２２７６３６号公報
【発明の概要】
【発明が解決しようとする課題】
【０００４】
本発明が解決しようとする課題は、制御基板をケース体に効果的に免震保持できる吸込口体およびこれを備えた電気掃除機を提供することである。
【課題を解決するための手段】
【０００５】
実施形態の吸込口体は、ケース体と、吸込口と、振動部材と、振動駆動手段と、制御基板と、支持部と、弾性部材とを有する。吸込口は、ケース体の下部に設けられ、塵埃を吸い込む。振動部材は、ケース体の下部に設けられ、被掃除部に振動を付与する。振動駆動手段は、振動部材を駆動する。制御基板は、振動駆動手段の動作を制御する制御回路を備える。支持部は、制御基板を互いに上下に対向しない位置で上下に支持する。弾性部材は、支持部と制御基板との間に介在される。
【図面の簡単な説明】
【０００６】
【図１】一実施形態の吸込口体の内部を示す斜視図である。
【図２】同上吸込口体の内部の制御基板を取り外した状態の一部を拡大して示す斜視図である。
【図３】同上吸込口体の制御基板近傍を模式的に示し、(a)は平面図、(b)は側面図である。
【図４】(a)は同上吸込口体の断面図、(b)は(a)の一部の拡大図である。
【図５】同上吸込口体を下方から示す斜視図である。
【図６】同上吸込口体を備えた電気掃除機を示す斜視図である。
【発明を実施するための形態】
【０００７】
以下、一実施形態の構成を図１ないし図６を参照して説明する。
【０００８】
図６において、11は電気掃除機を示し、この電気掃除機11は、この電気掃除機11を掃除に使用しない収納状態で支持する図示しない支持装置(充電台)とともに電気掃除装置を構成するものである。
【０００９】
そして、この電気掃除機11は、掃除機本体12と、この掃除機本体12に直接接続されたごみ取り部としての吸込口体である布団ブラシ14とを備え、被掃除部としての布団Ｂ(図４)を掃除する布団掃除用の電気掃除機である。一般に、図４などに示す布団Ｂは、例えば羽毛、羊毛、綿あるいは化学繊維などにより構成されるクッション性を有する内容物である中綿Ｉと、この中綿Ｉを覆う、側地とも呼ばれる通気性を有する薄膜状の被掃除面としての被覆部である布団生地Ｆとにより構成されており、電気掃除機11は、布団生地Ｆに付着した塵埃、および、この布団生地Ｆの背面側、すなわち中綿Ｉ側に入り込んだ塵埃などを吸い込んで掃除するようになっている。
【００１０】
図６に示す掃除機本体12は、例えば本体部21と、この本体部21に対して着脱可能な集塵部である集塵装置22とを備えている。本体部21の内部には、電動送風機25、例えばマイコンなどのコントローラである制御手段(制御部)27、電源である電池28などが収容されている。すなわち、掃除機本体12には、電動送風機25、制御手段27、および電池28などが備えられている。また、本体部21は、長手状に形成されており、長手方向の一端部に、布団ブラシ14を被掃除面上で移動させて操作する把持操作用の把持部31が突設され、長手方向の他端部に布団ブラシ14が挿入接続される塵埃吸込部としての接続部32が突設されている。そして、この本体部21は、把持部31を上端側として把持した電気掃除機11の使用状態で、鉛直上下方向に対して傾斜した状態となる。
【００１１】
電動送風機25には、例えばＤＣブラシレスモータなどが用いられる。
【００１２】
制御手段27は、電池28から給電されており、この電池28から電動送風機25への通電時間を制御(例えばＰＷＭ制御)することで、電動送風機25の動作を制御している。
【００１３】
電池28は、電動送風機25および制御手段27などに給電するもので、本実施形態では、例えば充電可能な二次電池などが用いられる。すなわち、本実施形態の電気掃除機11は、充電式のコードレスクリーナである。そして、この電池28は、制御手段27により充放電が制御されている。
【００１４】
把持部31は、手許操作部、あるいはハンドルなどとも呼ばれるもので、この把持部31には、電動送風機25の動作などを設定する設定手段(設定部)としての設定ボタン36が上部に沿って配置されている。そして、この設定ボタン36は、制御手段27と電気的に接続されている。
【００１５】
接続部32は、円筒状に形成されており、先端側に本体接続口38が開口されている。また、この接続部32の上部には、布団ブラシ14を掃除機本体12(本体接続口38)に対して着脱可能に保持するクランプ39が設けられている。
【００１６】
本体接続口38は、図示しない風路を介して集塵装置22と連通している。この本体接続口38の内部には、布団ブラシ14と電池28および制御手段27などとを電気的に接続するための図示しない対をなす(一対の)端子部が露出している。
【００１７】
集塵装置22は、例えば電動送風機25の動作により空気とともに吸い込んだ塵埃を空気から分離して溜めるものである。この集塵装置22は、例えばフィルタを用いるものや、直進分離をするものなど、任意のものを用いることができるが、本実施形態では、例えば塵埃を遠心分離(サイクロン分離)する、円筒状の集塵カップとする。この集塵装置22は、本体部21の下端側の上部、すなわち接続部32の上部にて、把持部31の下方(前方)の位置に着脱可能となっている。そして、この集塵装置22の吸込側(上流側)は本体接続口38を介して布団ブラシ14と連通し、集塵装置22の排気側(下流側)は、電動送風機25と連通している。
【００１８】
図４(a)に示す布団ブラシ14は、被掃除面(布団Ｂ(布団生地Ｆ))上を前後方向に走行可能で、かつ、図６に示す掃除機本体12に対して接続部32(本体接続口38)に着脱可能となっている。すなわち、この布団ブラシ14は、本体接続口38を介して集塵装置22と連通し、この集塵装置22を介して電動送風機25の吸込側と連通している。このため、この布団ブラシ14は、電動送風機25の駆動により塵埃を吸い込むようになっている。
【００１９】
そして、この布団ブラシ14は、図５に示すように、ケース体41と、このケース体41に対して突設された接続管である回転管42と、(第１の)前部押さえ部としての前車輪43と、押さえ部((第１の)後部押さえ部)としての後車輪44と、(第２の)前部押さえ部としての振動部材(叩打部材)であるビータ45とが一体的に組み付けられている。また、この布団ブラシ14には、前車輪43が取り付けられる前側取付部48と、後車輪44が取り付けられる後側取付部49と、吸込口50と、この吸込口50に隣接しビータ45が取り付けられる振動部材取付部(叩打部材取付部)であるビータ取付部51と、押さえ部((第３の)前部押さえ部)としての保持部52とが設けられ、後側取付部49間が、吸込口50に隣接し回転管42を軸支する軸支部54となっており、吸込口50とビータ取付部51との間が、押さえ部((第２の)後部押さえ部)としての後側隔壁55により区画され、ビータ取付部51の前縁部、すなわち吸込口50と反対側の縁部が、押さえ部としての前側壁部56となっている。なお、以下、上下方向、左右方向および前後方向については、図６に示す電気掃除機11の使用状態を基準とし、矢印Ｕが上方向、矢印Ｄが下方向、矢印Ｌが左方向、矢印Ｒが右方向、矢印FRが前方向、矢印RRが後方向を示すものとする。
【００２０】
ケース体41は、例えば合成樹脂などにより、布団ブラシ14(ケース体41)の走行方向(前後方向)と交差(直交)する方向である左右方向に長手状、すなわち横長に形成されている。このケース体41は、例えば複数のケース部材により構成されている。
【００２１】
回転管42は、ケース体41に対して上下方向に所定の角度範囲、例えば３０°の範囲を可動域として回動可能に軸支され、このケース体41から後方に突出している。この回転管42は、ケース体41の後部にて左右両側の中央部の上方に位置している。また、この回転管42は、吸込口50(図５)と連通しており、掃除機本体12に対して接続部32(本体接続口38)に接続され、クランプ39によって着脱可能に保持されるようになっている。
【００２２】
図５に示す前車輪43は、ケース体41(布団ブラシ14)を前後方向に走行可能とするとともに、吸込口50の前方かつ側方で布団Ｂ(布団生地Ｆ)を押さえる(図４(a))もので、ケース体41の長手方向の両端部、すなわち左右両側部にそれぞれ回転自在に軸支されている。すなわち、これら前車輪43は、ケース体41の長手方向(左右方向)に互いに離間されて略左右対称に一対配置され、このケース体41の長手方向に沿って軸方向を有し、前後方向に回転自在となっている。換言すれば、これら前車輪43は、ケース体41にて、吸込口50の長手方向の両端部に対向して位置している。また、これら前車輪43は、本実施形態では前側取付部48に位置している。さらに、これら前車輪43は、後車輪44に対して径寸法が大きい、大径状に設定されている。
【００２３】
後車輪44は、ケース体41(布団ブラシ14)を前後方向に走行可能とするとともに、吸込口50の後方で布団Ｂ(布団生地Ｆ)を押さえる(図４(a))もので、ケース体41の下部の吸込口50よりも後方に位置して、ケース体41に回転自在に軸支されている。すなわち、これら後車輪44は、ケース体41の長手方向(左右方向)に互いに離間されて略左右対称に一対配置され、このケース体41の長手方向に沿って軸方向を有し、前後方向に回転自在となっている。そして、これら後車輪44は、本実施形態では、一端部が軸支部54の外側の両側部に軸支され、他端部が後側取付部49にてケース体41の下部に突設された軸支受部61に軸支されている。これら後車輪44は、吸込口50の長手方向に沿って長手状(長尺円筒状)に形成されている。また、これら後車輪44は、本実施形態では後側取付部49に位置し、吸込口50の後方にて、この吸込口50の長手方向に沿って配置されている。
【００２４】
ビータ45は、ケース体41に対して上下方向に可動的に設けられ、上下動を繰り返すことにより布団Ｂ(布団生地Ｆ)に振動を付与して、より具体的には布団Ｂ(布団生地Ｆ)を叩打して塵埃を掻き出す(叩き出す)掃除補助部材である(図４(a))。このビータ45は、前後方向にて、後車輪44、吸込口50および後側隔壁55の前方、かつ、前側壁部56の後方に位置してビータ取付部51に取り付けられている。換言すれば、このビータ45は、吸込口50に対して後車輪44と反対側である前方に位置している。また、このビータ45は、左右両側方向にて、吸込口50に沿って前車輪43の間に位置している。ここで、ビータ45が吸込口50に沿うとは、ビータ45が吸込口50に対して略平行に配置されていることを言うものとし、吸込口50の内部にビータ45が配置されている構成も含むものとする。さらに、このビータ45は、図１に示す振動駆動手段である叩打駆動手段(駆動部)63により上下に駆動(振動)されるようになっている。
【００２５】
また、このビータ45は、構造的に、吸込口50(ケース体41)の長手方向である左右方向に沿って長手方向を有するように配置されている。また、このビータ45は、ケース体41(ビータ取付部51)に対して最大に上動した状態で下部が前車輪43、後車輪44、吸込口50、保持部52、後側隔壁55および前側壁部56の下端部より上方に位置して布団Ｂ(布団生地Ｆ)から離間される位置まで退避する(退避状態、図４(a)の実線)とともに、ケース体41(ビータ取付部51)に対して最大に下動した状態で下部が前車輪43、後車輪44、吸込口50、保持部52、後側隔壁55および前側壁部56の下端部より下方に位置して突出する(突出状態、図４(a)の想像線)ように上下方向のストロークが設定されている。換言すれば、このビータ45は、側方から見て、退避状態では前車輪43の外郭を含む仮想的な円筒面(外周面)よりも内側に位置し、突出状態では、前車輪43の外郭よりも外側に突出するようになっている。そして、このビータ45には、保持部52が挿通される単数または複数の開口部69(図５)が上下方向に貫通して設けられている。また、このビータ45は、図４(a)に示すように、布団Ｂ(布団生地Ｆ)に対向する下部が、後方に向けて下方へと突出するように傾斜している。このため、このビータ45の布団Ｂ(布団生地Ｆ)に対向する下部は、保持部52よりも後方の部分が前方の部分よりも下方に突出し、少なくとも保持部52の後方であって、保持部52と吸込口50との間、本実施形態では保持部52の前後の位置で布団Ｂを叩打するように構成されている。換言すれば、このビータ45は、保持部52、前側壁部56と後側隔壁55および後車輪44との間に一部が位置し、保持部52、前側壁部56と後側隔壁55および後車輪44との間の位置で布団Ｂを叩打するように構成されている。なお、このビータ45は、図示しないコイルばねなどの付勢手段により上方、または下方に向けて付勢されていてもよい。
【００２６】
叩打駆動手段63は、図１に示すように、駆動手段本体としての駆動源であるモータ71と、このモータ71により回転される変換部であるカム(偏心カム)72と、モータ71の駆動(モータ71の駆動および停止)を制御する制御回路Ｃを有する制御基板73とを備えている。この叩打駆動手段63は、ケース体41の内部に収納されていて、ケース体41の外部に露出していない。この叩打駆動手段63には、モータ71の回転をカム72に伝えるベルトなどからなる伝達機構74が設けられていてもよい。また、この叩打駆動手段63は、少なくとも一部が例えばケース体41の一部を構成するケース部(ギヤボックス)75に取り付けられていてもよい。そして、この叩打駆動手段63は、例えば回転管42内に配置された図示しない配線を介して図６に示す掃除機本体12の電池28および制御手段27などと電気的に接続され、電池28より給電されるとともに、制御手段27を介して駆動が制御されて、設定ボタン36の操作によって駆動のオンオフが切り換えられるように構成されている。
【００２７】
そして、図１に示す叩打駆動手段63は、モータ71の回転を(伝達機構74により)カム72に伝達してカム72を偏心回転させることで、このカム72と接続されたビータ45を上下動させるように構成されている。
【００２８】
モータ71は、回転管42に対して一側に配置されている。そして、このモータ71は、例えば後部に図示しない端子部が設けられ、この端子部が配線部を介して制御回路Ｃ(制御基板73)と電気的および機械的に接続されている。
【００２９】
制御基板73は、回転管42に対して他側、すなわちモータ71と反対側に配置されている。この制御基板73は、板状の基板本体77と、この基板本体77に実装され制御回路Ｃの一部を構成する電子部品、あるいはコネクタなどの部品78とを備えている。そして、この制御基板73には、弾性部材81が取り付けられており、この弾性部材81を介して、支持部82によりケース体41に支持されている。
【００３０】
また、この制御基板73に備えられた制御回路Ｃは、例えば電池28から供給される電圧をモータ71の駆動用の電圧に変換するＤＣ−ＤＣコンバータなどを備え、設定ボタン36の設定操作に応じて、モータ71の回転数、すなわち回転駆動のオンオフを制御する。
【００３１】
基板本体77は、一方向(長手方向)およびこの一方向と直交する他方向(短手方向である幅方向)にそれぞれ略線対称な形状、本実施形態では略四角形状(長方形状)に形成されている。本実施形態では、基板本体77は、長手方向が前後方向に沿い、短手方向が左右方向に沿う状態でケース体41に支持されている。この基板本体77は、被支持部としての耳片部83を四隅(角部)に備えていてもよい。これら耳片部83は、例えば四角形状に形成され、基板本体77の四隅から幅方向にそれぞれ突出している。なお、基板本体77(制御基板73)の四隅とは、基板本体77の長手方向の両端部近傍、かつ、幅方向の両側部近傍の部分をいうものとする。
【００３２】
部品78は、基板本体77の一主面である上面77a上に実装されている。すなわち、これら部品78は、基板本体77の上面77aから上方に突出して配置されている。
【００３３】
弾性部材81は、制御基板73(基板本体77)と支持部82との間に介在される。この弾性部材81は、例えばゴム、あるいはエラストマなどにより形成されている。この弾性部材81は、基板本体77の幅方向の両側部に、この基板本体77の長手方向に沿ってそれぞれ取り付けられている。この弾性部材81は、図３(a)に示すように、長手方向の中央部(基板本体77の長手方向の中央部)の位置に、基板本体77の幅方向の中央部側に窪んだ凹部81aが設けられている。また、この弾性部材81は、断面コ字状に形成されており、図３(b)に示すように、基板本体77の上面77aと他主面である下面77bを含む幅方向の両側部の位置を覆っている。したがって、この弾性部材81は、耳片部83をそれぞれ覆っている。このため、この弾性部材81は、基板本体77の上面77aと下面77bに対してそれぞれ略平行な一の被支持面である上面81bと他の被支持面である下面81cとを有している。換言すれば、この弾性部材81は、基板本体77の上面77aと下面77bに対してそれぞれ略平行な平面状の部分を有している。
【００３４】
なお、ビータ45は、上下動するものに限定されず、左右に振動するものや、微振動するものなども含むことができる。したがって、叩打駆動手段63も、ビータ45を上下動させるものに限定されず、左右に振動させたり、微振動させたりする構成も含むことができる。
【００３５】
図３(a)および図３(b)に示す支持部82は、制御基板73を互いに上下に対向しない位置で挟んでケース体41に支持固定するものである。すなわち、この支持部82は、上部支持部84と、下部支持部85とが設定されている。
【００３６】
上部支持部84は、制御基板73を、下部支持部85の間の位置で、かつ、制御基板73の長手方向の略中央部で上方から弾性部材81を介して押さえる(上方の位置を規制する)ものである。本実施形態では、この上部支持部84は、制御基板73(基板本体77)を、幅方向の両側の位置で弾性部材81を介して上方から押さえるものである。より詳細に、この上部支持部84は、制御基板73(基板本体77)を、弾性部材81の凹部81aに対応する位置で、弾性部材81を介して上方から押さえるものである。また、この上部支持部84は、制御基板73(基板本体77)の位置を幅方向(左右方向)に規制する機能を有している。すなわち、この上部支持部84は、制御基板73(基板本体77)の幅方向である左右方向に互いに離間されて対をなして配置されている。そして、各上部支持部84は、図２に示すように、ケース体41から上方に突出する上部規制部87と、この上部規制部87から突出する上部押さえ部88とを備えている。
【００３７】
上部規制部87は、図３(a)および図３(b)に示すように、制御基板73の両側の位置を規制するものである。この上部規制部87は、例えば左右方向に沿って厚み方向を有する板状に形成されている。この上部規制部87は、左右方向に弾性的に変形可能となっている。
【００３８】
上部押さえ部88は、上部規制部87から制御基板73側に向けて突設されている。この上部押さえ部88の上部は、制御基板73側へと下方に向けて傾斜したガイド部88aとなっている。このガイド部88aは、制御基板73を上部支持部84間への挿入を容易にするとともに、この挿入をガイドするようになっている。この上部押さえ部88は、左右方向に沿うリブ状に形成されている。このため、上部押さえ部88(上部支持部84)は、制御基板73を、弾性部材81を介して線状に押さえるようになっている。また、この上部押さえ部88(上部支持部84)は、下部支持部85に対して、左右方向にずれた位置で制御基板73を上方から押さえるようになっている。なお、この上部押さえ部88は、例えば前後方向に互いに離間される複数が設定されていてもよい。
【００３９】
下部支持部85は、制御基板73を、各上部支持部84の前方および後方の位置で、下方から弾性部材81を介して支持するものである。すなわち、この下部支持部85は、制御基板73の四隅の下部を、弾性部材81を介して支持するものである。また、この下部支持部85は、制御基板73(基板本体77)の位置を前後方向および幅方向(左右方向)に規制する機能を有している。したがって、この下部支持部85には、前側下部支持部85a，85aと、後側下部支持部85b，85bとが設定されている。そして、各下部支持部85(前側下部支持部85a，85aおよび後側下部支持部85b，85b)は、ケース体41から上方に突出する下部支持部本体91と、この下部支持部本体91の上端部に形成された下部規制部92と、下部支持部本体91の上端部にて下部規制部92の間の位置に形成された下部押さえ部93とを備えている。
【００４０】
下部支持部本体91は、例えば上方から見てＬ字状のリブ状に形成されている。
【００４１】
下部規制部92は、制御基板73の両側および前後の位置を規制するものである。すなわち、この下部規制部92は、各前部下部支持部85aにおいて、制御基板73の前部(長手方向の一の端部側)に位置する前部規制部92aと、制御基板73の側部(幅方向の一の側部側)に位置する側部下部規制部92bとが設定され、各後部下部支持部85bにおいて、制御基板73の後部(長手方向の他の端部側)に位置する後部規制部92cと、制御基板73の側部(幅方向の他の側部側)に位置する側部下部規制部92dとが設定されている。したがって、これら下部規制部92の間、すなわち前部規制部92aと側部下部規制部92bとの間、および、後部規制部92cと側部下部規制部92dとの間が、それぞれ制御基板73の四隅が嵌合収納される収納部(嵌合部)95となっている。
【００４２】
下部押さえ部93は、下部支持部本体91の角部の位置で上方に向けて突設されている。このため、この下部押さえ部93(下部支持部85)は、制御基板73を、弾性部材81を介して点状に支持するようになっている。この下部押さえ部93は、下部支持部本体91に対して、下部規制部92よりも上方への突出量が小さく設定されている。なお、この下部押さえ部93は、例えば円柱状に形成されていてもよい。
【００４３】
また、図５に示す前側取付部48は、ケース体41の下部の左右両側部に前後方向に沿って形成されている。なお、これら前側取付部48は、必須の構成ではない。
【００４４】
後側取付部49は、ケース体41の下部の後部左右両側部に左右方向に沿って形成されており、前側取付部48の後端部と連通している。なお、これら後側取付部49は、必須の構成ではない。
【００４５】
吸込口50は、ケース体41の下部に凹溝状に開口されている。この吸込口50は、ケース体41の下部において、前側壁部56、保持部52、前車輪43の回転軸、ビータ45および後側隔壁55より後方で、かつ、後車輪44の回転軸より前方に設けられている。また、この吸込口50は、軸支部54の前部および後側隔壁55の後部に隣接して位置している。さらに、この吸込口50は、左右方向にて、前車輪43の間に位置している。また、この吸込口50は、布団ブラシ14(ケース体41)の走行方向(前後方向)と交差(直交)する左右方向に長手状、すなわち横長に形成されている。また、この吸込口50は、中央部の位置で回転管42の前端部と対向してこの回転管42と連通している。
【００４６】
そして、吸込口50の上下方向の位置、すなわち吸込口50の高さ位置は、前車輪43および後車輪44の下端部、突出状態のビータ45の下端部、および、保持部52の下端部よりも上方に位置している。
【００４７】
ビータ取付部51は、ケース体41の前後方向の略中心部を含む前後の領域に亘って、左右方向に長手状の凹溝状に形成されている。
【００４８】
保持部52は、吸込口50の前方で布団Ｂ(布団生地Ｆ)を押さえる(図４(a))もので、ケース体41の後車輪44、吸込口50、および、後側隔壁55よりも前方、かつ、前側壁部56よりも後方に設けられている。そして、この保持部52は、例えばビータ取付部51の内部に位置している。また、この保持部52は、左右方向に長手状のリブ状に形成されている。
【００４９】
後側隔壁55は、吸込口50の後方で布団Ｂ(布団生地Ｆ)を押さえる(図４(a))とともに、吸込口50とビータ取付部51とを前後に区画するもので、ケース体41の長手方向である左右方向に沿って長手状に連続するリブ状に形成されている。
【００５０】
前側壁部56は、吸込口50の前方で布団Ｂ(布団生地Ｆ)を押さえる(図４(a))とともに、ケース体41の長手方向である左右方向に沿って長手状に連続するリブ状に形成されている。また、この前側壁部56は、後車輪44、後側隔壁55、吸込口50、保持部52、ビータ45、および、前車輪43の回転軸の前方にて上下方向に沿って設けられている。
【００５１】
次に、上記一実施形態の動作を図１ないし図６を参照しながら説明する。
【００５２】
制御基板73をケース体41に取り付ける際には、上部支持部84，84(上部規制部87，87)を左右に押し広げて弾性変形させながら、弾性部材81を取り付けた制御基板73を下方へと押し込む。このとき、上部支持部84，84の上部押さえ部88，88のガイド部88a，88aに沿って弾性部材81が滑ることで、制御基板73が上部支持部84，84(上部規制部87，87)間に容易に押し込まれる。そして、制御基板73(弾性部材81)が上部支持部84，84の上部押さえ部88，88を乗り越えて下方に移動すると、上部支持部84，84(上部規制部87，87)を復帰変形させる。この状態で、制御基板73は、弾性部材81を含む四隅が下部支持部85の収納部95にそれぞれ嵌合し、各下部支持部85(下部押さえ部93)によって弾性部材81(下面81c)が(耳片部83の下方に対応する位置で)下方から点状に支持され、各弾性部材81の凹部81aに嵌合した各上部支持部84(上部押さえ部88)によって弾性部材81(上面81b)が上方から面状に押さえられるとともに、下部支持部85の前部規制部92aおよび後部規制部92cにより前後方向が規制され、上部支持部84の上部規制部87、および、下部支持部85の側部下部規制部92b，92dにより左右方向が規制される。したがって、制御基板73は、支持部82によって、互いに上下に対向しない位置(下方からは四隅、上方からは両側の略中央部)が支持された状態となり、前後左右の位置が規制される。この後、制御基板73には、モータ71などを電気的に接続する。
【００５３】
掃除の際には、掃除機本体12(接続部32(本体接続口38))に対して、布団ブラシ14の回転管42を挿入接続してクランプ39により着脱可能に係止保持する。この状態で、布団ブラシ14が(本体接続口38、集塵装置22を介して)電動送風機25の吸込側と連通する。
【００５４】
そして、電気掃除機11では、把持部31を把持した使用者が布団ブラシ14を布団Ｂの布団生地Ｆ上に載置し、把持部31に設けた設定ボタン36を操作することで設定した動作で制御手段27が電動送風機25を駆動させるとともに、必要に応じて叩打駆動手段63を駆動させてビータ45を上下動させ、布団ブラシ14を被掃除面上で前後方向などに交互に走行させながら、ビータ45の上下動によって布団Ｂの内部に入り込んだ塵埃を叩き出しつつ(図４(a))、電動送風機25の駆動により生じた負圧を利用して吸込口50に布団生地Ｆを吸い付けて中綿Ｉに対して上方に僅かに持ち上げて布団生地Ｆと中綿Ｉとの間に生じさせた間隙Ｇ(図４(b))に空気を流し、この空気とともに塵埃を吸い込む。
【００５５】
このときの叩打駆動手段63は、制御回路Ｃにより駆動が制御されたモータ71の回転により偏心回転されたカム72がビータ45を上下動させる。このビータ45の振動は、ケース体41に対して直接、または、ビータ45が振動を付与する(叩打する)布団Ｂからの反力によって伝達される。このとき、ケース体41の支持されている制御基板73は、長手方向(前後方向)および幅方向(左右方向)において、上部支持部84と下部支持部85とで互いに対向しない位置(互いにずれた位置)で支持されているため、上部支持部84の下方の位置では下方への僅かな変形が許容され、下部支持部85の上方の位置では上方への僅かな変形が許容される。したがって、ビータ45の振動により生じる振動によって制御基板73に加わる応力が分散されて特定の位置に集中しにくく、制御基板73が免震保持される。
【００５６】
そして、布団ブラシ14は、前進時および後進時のそれぞれにおいて、両側の前車輪43、保持部52、前側壁部56および突出状態のビータ45などにより吸込口50の前方で布団Ｂ(布団生地Ｆ)を押さえつけ、後車輪44によって吸込口50の後方で布団Ｂ(布団生地Ｆ)を押さえつけていることで、吸込口50の前後でこの吸込口50に沿って布団Ｂ(布団生地Ｆ)が下方へと押さえつけられ、吸込口50の周辺での真空度が向上する。この状態で、前車輪43、保持部52、突出状態のビータ45、後車輪44のそれぞれの下端部よりも僅かに上方に位置する吸込口50に負圧が作用することで、このスリット状の前後方向に狭い吸込口50に対応する位置のみの狭い範囲で布団生地Ｆを吸い付けて中綿Ｉに対して上方に僅かに持ち上げ、布団生地Ｆを中綿Ｉに対して上方に離間させて間隙Ｇを生じさせる(図３(b))。そこで、布団生地Ｆ越しに吸込口50から作用する負圧によって間隙Ｇに吸込口50の長手方向である左右方向に沿って吸込口50の左右方向の中心部へと流れる吸込風を生じさせて、布団生地Ｆの表面に付着した塵埃とともに、中綿Ｉに入り込んだ微細な塵埃、例えば微細に崩れたダニの死骸や糞、あるいは花粉など、アレルギー症状を発生させるとされている微細塵などを、通気性を有する布団生地Ｆを介して吸い込む。
【００５７】
吸込口50から吸い込まれた含塵空気は、回転管42を経由して本体接続口38を介して集塵装置22へと運ばれて空気から分離されて捕集される。塵埃が分離された空気は、電動送風機25に吸い込まれて電動送風機25を冷却した後、図示しない排出口から掃除機本体12の外部へと排気される。
【００５８】
このように、布団Ｂの掃除に用いる布団ブラシ14の場合、掃除の際に壁などに衝突することが殆どないため、ケース体41に保持された制御基板73は、床などの掃除に用いる吸込口体である床ブラシの場合のような、壁や床などへの衝突に対する防振よりも、ビータ45の振動に対して免震保持することが重視される。そのため、以上説明した一実施形態によれば、制御基板73を互いに上下に対向しない位置で上下にて弾性部材81を介在して支持部82により支持することで、叩打駆動手段63により駆動されたビータ45の振動が制御基板73やその周囲のケース体41に断続的に伝わっても、制御基板73(基板本体77)の僅かな変形を許容して応力を分散させ、ビータ45の振動に対して制御基板73をケース体41に効果的に免震保持できる。
【００５９】
特に、制御基板73には、比較的背が高いコンデンサなどの部品78が実装されているので、ケース体41に免震保持することで、背が高い部品78がリード部分で根元から折れたりするなどの損傷を生じさせにくい。
【００６０】
具体的に、支持部82は、弾性部材81を介して制御基板73の下部を支持する下部支持部85を互いに離間して複数備え、これら下部支持部85の間の位置で、弾性部材81を介して制御基板73の上部を上部支持部84によって押さえることで、下部支持部85の上方、および、上部支持部84の下方の位置での制御基板73(基板本体77)の僅かな変形を許容でき、制御基板73をより確実に免震保持できる。
【００６１】
また、制御基板73を略四角形状に形成し、下部支持部85を、弾性部材81を介して制御基板73の四隅の下部を支持することで、制御基板73を大きな偏りなくバランスよく下方から支持することができるとともに、上部支持部84を、下部支持部85の間に配置しやすい。
【００６２】
しかも、上部支持部84が制御基板73の左右方向を規制し、下部支持部85は制御基板73の前後方向(および左右方向)を規制しているので、制御基板73を、前後左右に確実に位置決めした状態のまま免震保持できる。
【００６３】
さらに、支持部82が、制御基板73の上面77aおよび下面77bに沿って面状に形成した弾性部材81に対して点状または線状に接触して制御基板73を支持する、具体的には、上部支持部84が上面77aにて弾性部材81を介して制御基板73を線状に押さえ、下部支持部85が下面77bにて弾性部材81を介して制御基板73を点状に支持するので、振動が伝達される面積を最小限に抑制しつつ、制御基板73を押さえたり、支持したりする力を制御基板73に効率よく作用させることができる。
【００６４】
そして、上記のような布団ブラシ14を備えることで、制御基板73をケース体41に効果的に免震保持でき、ビータ45を振動させる構成として布団Ｂの塵埃をより確実に掻き出しつつ、信頼性を向上した電気掃除機11を提供できる。
【００６５】
なお、上記一実施形態において、支持部82は、弾性部材81を介して制御基板73を互いに上下に対向しない位置で上下に支持する構成であれば、任意の構成とすることができる。したがって、上部支持部84により制御基板73(弾性部材81)を線状に押さえ、下部支持部85により制御基板73(弾性部材81)点状に支持する構成としたが、例えば上部支持部84により制御基板73(弾性部材81)を点状に押さえ、下部支持部85により制御基板73(弾性部材81)を線状に支持する構成などとしてもよいし、制御基板73の上下それぞれを線状、あるいは点状に支持するようにしてもよい。
【００６６】
また、叩打駆動手段63としては、偏心回転するカム72以外でも、例えばモータ71により駆動されるクランク機構など、任意の構成とすることができる。
【００６７】
さらに、布団ブラシ14は、布団Ｂ以外でも、例えば座布団なども同様に掃除することもできる。
【００６８】
そして、電気掃除機11の電源としては、電池28以外にも、例えば商用交流電源などの外部電源を用いることもできる。
【００６９】
また、布団ブラシ14は、布団ブラシ14と別体の掃除機本体12と回転管42を介して接続して電気掃除機11を構成するようにしたが、ケース体41に電動送風機25を組み込むとともに、把持部31をケース体41に設けて、電気掃除機11を構成することもできる。
【００７０】
そして、吸込口50は、ビータ45に設けることもできる。
【００７１】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００７２】
11    電気掃除機
14    吸込口体としての布団ブラシ
25    電動送風機
41    ケース体
45    振動部材であるビータ
50    吸込口
63    振動駆動手段である叩打駆動手段
73    制御基板
81    弾性部材
82    支持部
84    上部支持部
85    下部支持部
Ｂ    被掃除部としての布団
Ｃ    制御回路
【図１】
2017023166.tif 000003
【図２】
2017023166.tif 000004
【図３】
2017023166.tif 000005
【図４】
2017023166.tif 000006
【図５】
2017023166.tif 000007
【図６】
2017023166.tif 000008